(57)【特許請求の範囲】
【請求項１】
センサ部と、
交差点に設置された路側機から発信される電波を受信する通信部と、
前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しないコントローラと
を備える、電子機器。
【請求項２】
センサ部と、
測位用人工衛星の信号を受信する受信機と、
前記測位用人工衛星の信号に基づき算出した現在位置と交差点の位置情報とに基づいて、自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しないコントローラと
を備える、電子機器。
【請求項３】
請求項１及び請求項２のいずれか一つに記載の電子機器であって、
前記コントローラは、前記ユーザが前記交差点に接近していると判定したとき、前記センサ部に情報を検出させる、電子機器。
【請求項４】
請求項１から請求項３のいずれか一つに記載の電子機器であって、
前記コントローラは、
前記蓋然性が高い場合、前記交差点を移動する旨の通知を自機以外の機器に通知する機能を実行し、
前記蓋然性が低い場合、前記交差点を移動する旨の通知を自機以外の機器に通知する機能を実行しない、電子機器。
【請求項５】
請求項４に記載の電子機器であって、
自機以外の機器は、路側機を含む、電子機器。
【請求項６】
請求項１から請求項５のいずれか一つに記載の電子機器であって、
前記センサ部は気圧センサを含む、電子機器。
【請求項７】
センサ部と、交差点に設置された路側機から発信される電波を受信する通信部とを備える電子機器に実行させる制御方法であって、
前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しない処理を含む制御方法。
【請求項８】
センサ部と、交差点に設置された路側機から発信される電波を受信する通信部とを備える電子機器に、
前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しない処理を実行させる制御プログラム。
【請求項９】
センサ部と、測位用人工衛星の信号を受信する受信機とを備える電子機器に、
前記測位用人工衛星の信号に基づき算出した現在位置と交差点の位置情報とに基づいて、自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しない処理を実行させる制御プログラム。
【請求項１０】
請求項５に記載の電子機器と通信する路側機であって、
前記電子機器から、当該電子機器が前記交差点を移動する旨の第１通知を受信すると、前記交差点付近への注意を促す第２通知を自機以外の機器に通知する機能を実行する、路側機。
【請求項１１】
請求項１０に記載の路側機であって、
自機以外の機器は、車載器及び携帯電子機器の少なくとも一方である、路側機。
【発明の詳細な説明】
【技術分野】
【０００１】
本出願は、電子機器に関する。
【背景技術】
【０００２】
従来、所定のタイミングで自機または他機への報知を行う電子機器がある。
【先行技術文献】
【特許文献】
【０００３】
【特許文献１】特開２０１３−２３９８５３号公報
【発明の概要】
【発明が解決しようとする課題】
【０００４】
従来、電子機器には改善の余地がある。
【課題を解決するための手段】
【０００５】
１つの態様に係る電子機器は、センサ部と、交差点に設置された路側機から発信される電波を受信する通信部と、前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しないコントローラとを備える。
【０００６】
１つの態様に係る制御方法は、センサ部と、交差点に設置された路側機から発信される電波を受信する通信部とを備える電子機器に実行させる制御方法であって、前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しない処理を含む。
【０００７】
１つの態様に係る制御プログラムは、センサ部と、交差点に設置された路側機から発信される電波を受信する通信部とを備える電子機器に、前記通信部が前記電波を受信したか否かに基づいて自機のユーザが前記交差点に接近しているか否かを判定し、前記ユーザが前記交差点に接近していると判定したとき、前記センサ部の情報に基づいて前記交差点への接近後に前記ユーザが前記交差点の道路上を移動する蓋然性が高いか否かを判定し、前記ユーザが前記交差点に接近していないと判定したとき、前記蓋然性が高いか否かを判定しない処理を実行させる制御プログラムである。
【図面の簡単な説明】
【０００８】
【図１】図１は、実施形態に係るスマートフォンの機能構成の一例を示すブロック図である。
【図２】図２は、実施形態に係るスマートフォンの処理の一例を説明するための概要図である。
【図３】図３は、実施形態に係るスマートフォンの処理の一例を説明するための概要図である。
【図４】図４は、実施形態に係るスマートフォンの処理の一例を説明するための概要図である。
【図５】図５は、実施形態に係るスマートフォンの処理の一例を説明するための概要図である。
【図６】図６は、実施形態に係るスマートフォンの処理の一例を説明するための概要図である。
【図７】図７は、実施形態に係るスマートフォンにより実行される処理の流れの一例を示すフローチャートである。
【発明を実施するための形態】
【０００９】
本出願に係る電子機器、制御方法、及び制御プログラムを実施するための複数の実施形態を、図面を参照しつつ詳細に説明する。
【００１０】
以下では、本出願に係る電子機器の一例として、スマートフォンを取り上げて説明する。携帯電子機器は、ユーザが携行可能であって、加速度及び気圧の測定機能を備える電子機器であれば、スマートフォン以外の機器であってもよく、例えば、モバイルフォン、タブレット、携帯型パソコン、デジタルカメラ、メディアプレイヤ、電子書籍リーダ、ナビゲータ、歩数計、活動量計、ウエアラブルデバイス、ヘッドマウントディスプレイ、補聴器、イヤホン、又はゲーム機等の機器であってよい。ウエアラブルデバイスは、時計型、メガネ型、靴型、髪留め型、鍵型、ネックレス型、首輪型、指輪型、腕輪型、鞄型などを含む。
【００１１】
図１は、スマートフォン１の機能構成の一例を示すブロック図である。以下の説明において、同様の構成要素について同一の符号を付すことがある。以下の説明において、重複する説明は省略することがある。以下の説明において、スマートフォン１を「自機」と表記する場合がある。
【００１２】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、ジャイロスコープ１７と、磁気センサ１８と、気圧センサ１９とを含む。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
タッチスクリーン２Ｂの検出方式は、静電容量方式、抵抗膜方式、表面弾性波方式、赤外線方式、及び荷重検出方式等の任意の方式でよい。
【００１８】
ボタン３は、ユーザからの操作入力を受け付ける。ボタン３の数は、単数であっても、複数であってもよい。ボタン３は、操作ボタンの一例である。
【００１９】
照度センサ４は、照度を検出する。照度は、照度センサ４の測定面の単位面積に入射する光束の値である。照度センサ４は、例えば、ディスプレイ２Ａの輝度の調整に用いられる。
【００２０】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２１】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。実施形態の１つの例において、通信ユニット６は、交差点付近に設置される路側機との通信を可能とするための複数の通信規格をさらにサポートする。実施形態の１つの例において、通信ユニット６は、交差点を含む所定の通信エリア内にある機器が受信可能な電波を発信する路側機から発信された電波を受信できる。
【００２２】
レシーバ７は、コントローラ１０から送出される音信号を音として出力する。レシーバ７は、例えば、スマートフォン１にて再生される動画の音、音楽の音、及び通話時の相手の声を出力することができる。マイク８は、入力されるユーザの声等を音信号へ変換してコントローラ１０へ送信する。
【００２３】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００２５】
ストレージ９は、制御プログラム９Ａ、気圧データ９Ｂ、加速度データ９Ｃ、移動判定データ９Ｄ、路側機データ９Ｅ、及び設定データ９Ｚなどを記憶できる。制御プログラム９Ａは、各種機能を提供するに際し、各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００２６】
制御プログラム９Ａは、スマートフォン１の動作に関する機能を提供できる。実施形態の１つの例において、制御プログラム９Ａは、次の各機能を提供できる。
【００２７】
制御プログラム９Ａは、加速度センサ１５の検出結果である加速度値に基づいて、自機のユーザが所定の移動態様により移動中であるかを判定する機能を提供できる。具体的には、制御プログラム９Ａは、加速度センサ１５の検出結果である加速度の方向及び大きさに基づいて、自機に作用する振動及び動きを測定できる。制御プログラム９Ａは、測定した振動及び動きの測定結果を、移動判定データ９Ｄに照らし合わせて、自機のユーザが所定の移動態様で移動中であるかを判定できる。制御プログラム９Ａは、移動判定データ９Ｄから、自機を携帯するユーザが所定の移動態様で移動中であるときに、自機に作用する振動及び動きのデータを予め測定したものを選択して判定に利用する。実施形態の１つの例において、所定の移動態様で移動中とは、自機のユーザが歩いている状態、または自機のユーザが走っている状態で移動中であることを含む。
【００２８】
制御プログラム９Ａは、自機のユーザが所定の移動態様により移動中であると判定した場合に、ユーザの交差点への接近を路側機から発信される電波の受信によって検出する機能を提供できる。
【００２９】
制御プログラム９Ａは、自機のユーザの交差点への接近を検出すると、交差点への接近後、当該ユーザが交差点の道路上を移動する蓋然性が高いかを、気圧センサ１９の検出結果である気圧値の変化に基づいて判定する機能を提供できる。具体的には、制御プログラム９Ａは、気圧センサ１９の検出結果として、単位時間あたりの気圧変化量を取得し、単位時間あたりの気圧変化量が気圧閾値を超える場合に、自機のユーザが交差点の道路上を横断する蓋然性が高くないと判定できる。気圧閾値は、例えば、自機を携帯するユーザが階段を歩いて下りている状態、又は自機を携帯するユーザが階段を走って下りている状態であるときに、気圧センサ１９により測定される気圧変化量に対応する。気圧閾値は、例えば、自機を携帯するユーザが階段を歩いて上っている状態、又は自機を携帯するユーザが階段を走って下りている状態であるときに、気圧センサ１９により測定される気圧変化量にも対応する。
【００３０】
制御プログラム９Ａは、判定の結果、ユーザが交差点の道路上を移動する蓋然性が高い場合、ユーザが交差点を移動する旨の通知を路側機に送信する機能を提供できる。一方、制御プログラム９Ａは、判定の結果、ユーザが交差点の道路上を移動する蓋然性が高くない場合、ユーザが交差点を移動する旨の通知を路側機に送信しない機能を提供できる。
【００３１】
制御プログラム９Ａは、加速度センサ１５の代替として、あるいは補助として、方位センサ１６、ジャイロスコープ１７、マイク８、カメラ１２、カメラ１３、あるいはＧＰＳ受信機（図示略）などのうち少なくとも一つを用いて、自機のユーザが所定の移動態様で移動中であるかを判定することもできる。
【００３２】
気圧データ９Ｂは、気圧センサ１９により取得された気圧の値のデータを含む。気圧データ９Ｂは、気圧センサ１９により測定された全ての測定結果を含んでよい。
【００３３】
加速度データ９Ｃは、加速度センサ１５により取得された加速度の値を含む。加速度データ９Ｃは、加速度センサ１５により取得された加速度の方向及び大きさを含む。加速度データ９Ｃは、加速度センサ１５により測定された全ての測定結果を含んでよい。
【００３４】
移動判定データ９Ｄは、例えば、スマートフォン１のユーザの移動状態を判定するのに利用される判定条件の情報を含む。判定条件の情報は、自機に作用する加速度の方向及び大きさ、加速度の方向及び大きさの時系列変化で構成される加速度パターン、又はＸ軸、Ｙ軸およびＺ軸の３軸の加速度を合成した合成ベクトルを含んでよい。判定条件の情報は、自機に作用する気圧が単位間隔あたりに変化した変化量の判定に用いる気圧閾値を含んでよい。気圧閾値は、例えば、大気圧の値が自然に変化するときの気圧の変化量に相当する。気圧閾値は、大気圧の値が自然に変化するときの気圧の増加量、及び大気圧の値が自然に変化するときの気圧の減少量の双方を含んでよい。
【００３５】
路側機データ９Ｅは、移動の通知の宛先となる路側機２００（図２等参照）の情報に該当する。路側機データ９Ｅは、例えば、高度道路交通システムの専用狭域通信で用いられる周波数帯の情報などを含む。
【００３６】
設定データ９Ｚは、スマートフォン１の動作に関する各種設定の情報を含む。
【００３７】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、磁気センサ１８及び気圧センサ１９を含むが、これらに限定されない。
【００３９】
コントローラ１０は、制御プログラム９Ａを実行することにより、次の各処理を実現できる。コントローラ１０は、加速度センサ１５の検出結果である加速度値に基づいて、自機のユーザが所定の移動態様により移動中であるかを判定する処理を実現できる。コントローラ１０は、自機のユーザが所定の移動態様により移動中であると判定した場合に、ユーザの交差点への接近を路側機から発信される電波の受信によって検出する処理を実現できる。コントローラ１０は、自機のユーザの交差点への接近を検出すると、交差点への接近後、当該ユーザが交差点の道路上を移動する蓋然性が高いかを、気圧センサ１９の検出結果である気圧値の変化に基づいて判定する処理を実現できる。コントローラ１０は、判定の結果、ユーザが交差点の道路上を移動する蓋然性が高い場合、ユーザが交差点を移動する旨の通知を路側機に送信する処理を実現できる。コントローラ１０は、判定の結果、ユーザが交差点の道路上を移動する蓋然性が高くない場合、ユーザが交差点を移動する旨の通知を路側機に送信しない処理を実現できる。
【００４０】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００４１】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００４２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４３】
加速度センサ１５は、スマートフォン１に作用する加速度の方向及び大きさを測定できる。加速度センサ１５は、加速度センサの一例である。方位センサ１６は、例えば、地磁気の向きを検出し、地磁気の向きに基づいて、スマートフォン１の向き（方位）を測定できる。ジャイロスコープ１７は、スマートフォン１の角度及び角速度を検出する。磁気センサ１８は、スマートフォン１の周囲の磁力を検出する。
【００４４】
気圧センサ１９は、スマートフォン１に作用する気圧を測定できる。気圧センサ１９は、気圧センサの一例である。気圧センサ１９は、測定した気圧値をコントローラ１０に出力する。気圧センサ１９は、自機に作用する気圧の測定結果に基づいて、単位時間あたりの気圧変化量をコントローラ１０に出力することもできる。気圧変化量は、絶対値もしくはスカラー量を累積した値であってよい。単位時間は、任意の時間を設定してよい。
【００４５】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、スマートフォン１の現在位置の演算処理をサポートする。スマートフォン１は、ＧＰＳ衛星以外の測位用人工衛星の信号を受信可能な受信機を備え、現在位置の演算処理を実行してもよい。バイブレータは、スマートフォン１の一部又は全体を振動させる。バイブレータは、振動を発生させるために、例えば、圧電素子、又は偏心モータなどを有する。スマートフォン１は、バッテリなど、スマートフォン１の機能を維持するために当然に用いられる機能部、及びスマートフォン１の制御を実現するために当然に用いられる制御部を実装する。
【００４６】
スマートフォン１は、通信ユニット６を介してクラウド上の記憶サーバにアクセスし、交差点の位置情報が付加された地図情報を受信する処理を実行してもよい。交差点の位置情報が付加された地図情報は、記憶サーバに予め記憶させておけばよい。スマートフォン１は、交差点の位置情報が付加された地図情報を参照することができる。交差点の位置情報は、例えば、交差点を代表する位置座標等を含む。
【００４７】
図２から図６を参照しつつ、実施形態に係るスマートフォン１の処理の一例を説明する。図２から図６は、実施形態に係るスマートフォン１の処理の一例を説明するための概要図である。
【００４８】
図２を用いて、スマートフォン１から路側機に対して通知が送信される例を説明する。図２に示す例では、スマートフォン１のユーザ１００が、交差点の横断歩道ＺＣに向かって歩いて移動中である。図２に示す通信エリアＡ１は、他の機器が、路側機２００から発信される電波を受信可能な範囲を示す。
【００４９】
スマートフォン１は、自機のユーザ１００が所定の移動態様により移動中であるかを判定する。スマートフォン１は、自機のユーザ１００が所定の移動態様（例えば、徒歩）により移動中であると判定すると、ユーザの交差点への接近を路側機２００から発信される電波の受信によって検出する。あるいは、スマートフォン１は、ＧＰＳ衛星等の測位用人工衛星の信号および交差点の位置情報が付加された地図情報を受信し、交差点への接近を検出してもよい。すなわち、スマートフォン１は、ＧＰＳ衛星等の測位用人工衛星の信号に基づき算出した現在位置と、受信した前記地図情報に付加された交差点の位置情報と、を比較して、例えば、現在位置の位置座標と、交差点を代表する位置座標との間の距離が所定値になるとき、交差点範囲内の交差点への接近を検出してもよい。
【００５０】
スマートフォン１は、自機のユーザ１００が所定の移動態様により移動中であり、交差点への接近を検出すると、交差点への接近後、当該ユーザ１００が交差点の道路上（例えば、横断歩道ＺＣ）を移動する蓋然性が高いかを、気圧センサ１９の検出結果である気圧値の変化に基づいて判定する。
【００５１】
スマートフォン１は、判定の結果、ユーザ１００が交差点の道路上を移動する蓋然性が高い場合、図２に示すように、ユーザ１００が交差点を移動する旨の通知Ｍ１を路側機２００に送信する（ステップＳ１１）。
【００５２】
路側機２００は、スマートフォン１からの通知Ｍ１を受信すると、図２に示すように、通信エリアＡ１に向けて、交差点付近への注意を促す通知Ｍ２を発信する（ステップＳ１２）。実施形態において、路側機２００は、スマートフォン１との通信を可能とするための通信規格をサポートする。路側機２００は、車両３００に搭載される車載器との通信を可能とするための通信規格もサポートする。路側機２００は、スマートフォン１に信号を送信する送信用路側機と、スマートフォン１から信号を受信する受信用路側機と、に分かれていてもよい。
【００５３】
図２に示す例において、路側機２００から発信された通知Ｍ２は、例えば、通信エリアＡ１内を走行中の車両３００（車載器）に受信される。
【００５４】
図３及び図４を用いて、スマートフォン１から路側機２００に対して通知が送信されない場合の一例を説明する。図３に示す例では、スマートフォン１のユーザ１００が、交差点付近に設置されている歩道橋ＰＷを歩いて移動中である。
【００５５】
図２に示す例と同様に、スマートフォン１は、自機のユーザ１００が所定の移動態様により移動中であり、交差点への接近を検出すると、交差点への接近後、当該ユーザ１００が交差点の道路上（例えば、横断歩道ＺＣ）を移動する蓋然性が高いかを、気圧センサ１９の検出結果である気圧値の変化に基づいて判定する。
【００５６】
図４に示すように、ユーザ１００が歩道橋ＰＷを移動中であるような場合、単位時間あたりの気圧変化量が気圧閾値を超えるので、スマートフォン１は、当該ユーザ１００が交差点の道路上（例えば、横断歩道ＺＣ）を移動する蓋然性が高くないという判定結果を導出できる。
【００５７】
スマートフォン１は、判定の結果、ユーザ１００が交差点の道路上を移動する蓋然性が高くない場合、図３に示すように、ユーザ１００が交差点を移動する旨の通知を路側機２００に送信しない。
【００５８】
図５及び図６を用いて、スマートフォン１から路側機２００に対して通知が送信されない場合の一例を説明する。図５に示す例では、スマートフォン１のユーザ１００が、交差点付近に設置されている地下道ＵＰを歩いて移動中である。
【００５９】
図２に示す例と同様に、スマートフォン１は、自機のユーザ１００が所定の移動態様により移動中であり、交差点への接近を検出すると、交差点への接近後、当該ユーザ１００が交差点の道路上（例えば、横断歩道ＺＣ）を移動する蓋然性が高いかを、気圧センサ１９の検出結果である気圧値の変化に基づいて判定する。
【００６０】
図６に示すように、ユーザ１００が地下道ＵＰを移動中であるような場合、単位時間あたりの気圧変化量が気圧閾値を超えるので、スマートフォン１は、当該ユーザ１００が交差点の道路上（例えば、横断歩道ＺＣ）を移動する蓋然性が高くないという判定結果を導出できる。
【００６１】
スマートフォン１は、判定の結果、ユーザ１００が交差点の道路上を移動する蓋然性が高くない場合、図５に示すように、ユーザ１００が交差点を移動する旨の通知を路側機２００に送信しない。
【００６２】
図７を用いて、実施形態に係るスマートフォン１により実行される処理の流れを説明する。図７は、実施形態に係るスマートフォン１により実行される処理の流れの一例を示すフローチャートである。図７に示す処理は、コントローラ１０が、ストレージ９に記憶されている制御プログラム９Ａを実行することにより実現される。なお、図７に示す処理は、スマートフォン１が動作可能な状態であるとき繰り返し実行される。すなわち、スマートフォン１は、給電制御を一部制限するモード、いわゆる、省電力モードのときにも、図７に示す処理を繰り返し実行してよい。
【００６３】
図７に示すように、コントローラ１０は、加速度センサ１５の検出結果を取得する（ステップＳ１０１）。
【００６４】
続いて、コントローラ１０は、加速度センサ１５の検出結果に基づいて、スマートフォン１のユーザ１００が所定の移動態様で移動中であるかを判定する（ステップＳ１０２）。
【００６５】
コントローラ１０は、判定の結果、ユーザ１００が所定の移動態様で移動中である場合（ステップＳ１０２，Ｙｅｓ）、交差点に接近しているかを判定する（ステップＳ１０３）。
【００６６】
コントローラ１０は、判定の結果、交差点に接近している場合（ステップＳ１０３，Ｙｅｓ）、気圧センサ１９の検出結果を取得する（ステップＳ１０４）。
【００６７】
コントローラ１０は、気圧センサ１９の検出結果に基づいて、交差点の道路上を移動する蓋然性が高いかを判定する（ステップＳ１０５）。
【００６８】
コントローラ１０は、判定の結果、交差点の道路上を移動する蓋然性が高い場合（ステップＳ１０５，Ｙｅｓ）、交差点を移動する旨の通知を路側機２００に送信して（ステップＳ１０６）、ステップＳ１０１の処理手順に戻る。
【００６９】
一方、コントローラ１０は、判定の結果、交差点の道路上を移動する蓋然性が高くない場合（ステップＳ１０５，Ｎｏ）、ステップＳ１０６の通知を行わず、ステップＳ１０１の処理手順に戻る。
【００７０】
上記ステップＳ１０３において、コントローラ１０は、判定の結果、交差点に接近していない場合（ステップＳ１０３，Ｎｏ）、ステップＳ１０１の処理手順に戻る。
【００７１】
上記ステップＳ１０２において、コントローラ１０は、判定の結果、ユーザ１００が所定の移動態様で移動中ではない場合（ステップＳ１０２，Ｎｏ）、ステップＳ１０１の処理手順に戻る。
【００７２】
上述してきたように、実施形態に係るスマートフォン１は、ユーザが所定の移動態様で交差点に接近した後、交差点の道路上をそのまま移動する蓋然性が高い場合に、交差点を移動する旨の通知を路側機２００に送信する。このため、実施形態に係るスマートフォン１は、交差点に接近する都度、スマートフォン１から路側機２００へ通知を送信しなくてもよい。
【００７３】
上記の実施形態では、スマートフォン１が所定の移動態様で移動中であると判定する場合の例として、ユーザが歩いて移動している状態、又は走って移動している状態を説明したが、自転車、一輪車、スケートボード、キックボードなど、ユーザが独力で移動している状態を所定の移動態様で移動中である場合に含めてよい。
【００７４】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７５】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  気圧データ
９Ｃ  加速度データ
９Ｄ  移動判定データ
９Ｅ  路側機データ
９Ｚ  設定データ
１０  コントローラ
１１  スピーカ
１２  カメラ
１３  カメラ
１４  コネクタ
１５  加速度センサ
１６  方位センサ
１７  ジャイロスコープ
１８  磁気センサ
１９  気圧センサ
【図１】
0006483202.tif 000002
【図２】
0006483202.tif 000003
【図３】
0006483202.tif 000004
【図４】
0006483202.tif 000005
【図５】
0006483202.tif 000006
【図６】
0006483202.tif 000007
【図７】
0006483202.tif 000008